(57)【要約】      （修正有）【課題】着座者の動きに追従して背もたれがダイナミックに捩じれ変形する椅子を提供する。【解決手段】背もたれの上端はバックフレームのアッパサポート１６に連結されて、背もたれの下端はバックフレームのロアサポートに連結されている。アッパサポート１６は背支柱１５とは別体に構成されており、アッパサポート１６から垂下した下向きロッド３１が、背支柱１５に内蔵した軸受けブロック３２で回転自在に保持されている。下向きロッド３１の回転には、カム筒４４を介してばね４７の抵抗が付与される。着座者が右又は左に身体を傾けて背もたれにもたれ掛かるとアッパサポート１６の全体が水平旋回して、背もたれが、着座者の身体の動きに追従して捩じれ変形する。従って、背もたれの捩れ変形の確実性に優れている。【選択図】図１４
2020058759.tif 000002
【特許請求の範囲】
【請求項１】
座と背もたれ、前記背もたれの後ろに配置されたバックフレームを備えており、前記バックフレームの上端部は、前記背もたれの上端部が取り付くアッパサポートになっている構成であって、
前記背もたれは、着座者の押圧力によって曲がり変形し得る強度であり、下部は、水平旋回しないように前記バックフレーム又は他の部材に保持されている一方、
前記バックフレームのアッパサポートは、その下方の部分とは別体に構成されていて、下方の部分に対して上下長手の軸心回りに水平旋回可能に取付けられており、前記アッパサポートの水平旋回に追従して前記背もたれが変形可能になっている、
椅子。
【請求項２】
前記バックフレームは、左右中間部に配置された上下長手の背支柱を備えていて、前記背支柱の上端部に、前記アッパサポートが、軸と軸受け部とから成る軸支手段を介して水平旋回可能に連結されている、
請求項１に記載した椅子。
【請求項３】
前記アッパサポートは、背支柱の上端から左右外側に張り出して先端を自由端と成した形態であり、当該アッパサポートの左右自由端部に前記背もたれの左右端部が連結されており、前記背もたれとアッパサポートとの間に空間が空いている一方、
前記背支柱の下端部に、左右両側に張り出して先端を自由端と成したロアサポートが設けられていて、前記左右ロアサポートの先端部に前記背もたれの左右下端部が連結されていて、左右連結部の間では、前記背もたれとロアサポートとの間に空間が空いている、
請求項２に記載した椅子。
【請求項４】
前記アッパサポートは、その全体が一体に繋がっている、
請求項２又は３に記載した椅子。
【請求項５】
前記アッパサポートの水平旋回角度を規制するストッパー手段を設けている、
請求項１〜４のうちのいずれかに記載した椅子。
【請求項６】
前記軸支手段は前記背支柱に内蔵されている、
請求項２〜５のうちのいずれかに記載した椅子。
【発明の詳細な説明】
【技術分野】
【０００１】
本願発明は、背もたれを備えた椅子に関するものである。
【背景技術】
【０００２】
椅子は様々な形態があり、オフィスで多用されている回転椅子は、キャスタを備えた脚装置、座、背もたれを主要要素としており、オプション品として肘掛け装置やヘッドレスト、ハンガーなどが取付けられている。
【０００３】
また、回転椅子では、背もたれが後傾可能なロッキング機能を備えていることが多い。このようなロッキング機能により、着座者は身体をリラックスさせて長時間の使用を継続することができる。
【０００４】
椅子において快適性を保持する重要な要素は、背もたれのフィット性や当たりの柔らかさであり、そこで、背もたれの前面をクッション材で構成したり、メッシュ材で身体を支持したりしている。メッシュ材は、通気性に優れているため蒸れを防止できる利点もある。
【０００５】
さて、着座者が背もたれにもたれる場合、上半身の中心線を背もたれの中心線に揃えているとは限らず、上半身を右又は左に倒した状態でもたれたり、背もたれにもたれつつ身体を捩じって後ろを向いたりすることがあるが、これらの場合、着座者のもたれ掛かりによる押圧力（体圧）は、背もたれの左側部又は右側部に偏って強く作用する。
【０００６】
そして、椅子の背もたれは、基本的には、着座者の押圧力によっては殆ど変形しない剛性を有していることが多いが、背もたれが剛性構造であると、着座者の身体の一部が背もたれの一部に強く当たることになって、快適性が損なわれてしまう。
【０００７】
そこで、背もたれが着座者の押圧力によって曲がり変形（捩じれ変形）することを許容する椅子が提案されている。例えば、特許文献１，２には、背もたれを、三点支持（又は略三点支持）の状態でバックフレームに取り付けて、左右の上コーナー部を非支持状態にすることにより、着座者の押圧力によって背もたれの左側部又は右側部が後ろに曲がり変形することを許容する構成が開示されている。
【先行技術文献】
【特許文献】
【０００８】
【特許文献１】再公表ＷＯ２０１４／１９６６３０号公報
【特許文献２】欧州特許公開０９７０６３９号公報
【発明の概要】
【発明が解決しようとする課題】
【０００９】
特許文献１，２では、背もたれは着座者の押圧力によって曲がり変形（捩じれ変形）できるため、上半身を右又は左にずらして背もたれにもたれ掛かった場合に、背もたれが追従して変形する。従って、着座者の身体の動きを許容できると共に、身体に対する背もたれの当たりを柔らかくすることができる。その結果、快適性を向上できると云える。
【００１０】
しかし、特許文献１，２では、背もたれの変形の程度は、専ら、背もたれの弾性力の程度に依存するため、バラツキが発生することは不可避であり、品質の安定性が必ずしも高くないと云える。
【００１１】
また、特許文献１，２では、着座者の押圧力が掛かった部分は大きく曲がり変形できるが、着座者の押圧力が掛かった部分と反対側の部分が逆方向に旋回（回動）することは殆どないため、背もたれ全体としての追従性は必ずしも高くないと云える。すなわち、特許文献１，２では、着座者の動きに対する背もたれが部分的に追従するが、全体としての追従性は必ずしも高くなく、その結果、快適性の向上に限度があると解される。
【００１２】
本願発明は、このような現状を改善することを課題とするものである。更に述べると、本願発明は、着座者の身体の動きに対する背もたれの変形の追従性を向上させることや、品質の安定性を向上させることなどを主たる課題としている。
【課題を解決するための手段】
【００１３】
本願発明は多くの構成を備えており、典型例を各請求項で特定している。このうち請求項１の発明は、
「座と背もたれ、前記背もたれの後ろに配置されたバックフレームを備えており、前記バックフレームの上端部は、前記背もたれの上端部が取り付くアッパサポートになっている」
という基本構成において、
「前記背もたれは、着座者の押圧力によって曲がり変形し得る強度であり、下部は、水平旋回しないように前記バックフレーム又は他の部材に保持されている一方、
前記バックフレームのアッパサポートは、その下方の部分とは別体に構成されていて、下方の部分に対して上下長手の軸心回りに水平旋回可能に取付けられており、前記アッパサポートの水平旋回に追従して前記背もたれが変形可能になっている」
という構成を付加している。
【００１４】
この場合、背もたれの下部に関する「水平旋回しない」とは、全く水平旋回しないという意味ではなく、着座者の身体の押圧力によって容易に変形することは意図していないとう意味である。換言すると、着座者の腰部を安定良く保持できる状態になっているという意味である。樹脂製品は多少なりとも変形しうるが、請求項１でも、部材の僅かな変形などによって姿勢が変化することは許容されている。
【００１５】
請求項２の発明は、請求項１において、
「前記バックフレームは、左右中間部に配置された上下長手の背支柱を備えていて、前記背支柱の上端部に、前記アッパサポートが、軸と軸受け部とから成る軸支手段を介して水平旋回可能に連結されている」
という構成になっている。
【００１６】
請求項３の発明は、請求項２において、
「前記アッパサポートは、背支柱の上端から左右外側に張り出して先端を自由端と成した形態であり、当該アッパサポートの左右自由端部に前記背もたれの左右端部が連結されており、前記背もたれとアッパサポートとの間に空間が空いている一方、
前記背支柱の下端部に、左右両側に張り出して先端を自由端と成したロアサポートが設けられていて、前記左右ロアサポートの先端部に前記背もたれの左右下端部が連結されていて、左右連結部の間では、前記背もたれとロアサポートとの間に空間が空いている」
という構成になっている。
【００１７】
請求項２又は３においては、アッパサポートは背支柱の右側に張り出した部分（右側部分）と左側に張り出した部分（左側部分）とを有しており、これら右側部分と左側部分とを別々に旋回するように背支柱に取り付けることも可能であるが、請求項４では、
「前記アッパサポートは、その全体が一体に繋がっている」
という構成になっている。
【００１８】
請求項５の発明は、請求項１〜４のうちのいずれかにおいて、
「前記アッパサポートの水平旋回角度を規制するストッパー手段を設けている」
という構成になっている。
【００１９】
請求項６の発明は、請求項２〜５のうちのいずれかにおいて、
「前記軸支手段は前記背支柱に内蔵されている」
という構成になっている。
【発明の効果】
【００２０】
本願発明では、背もたれの下部は水平旋回しないように保持されている一方、背もたれの上端が取り付くアッパサポートは、上下長手の軸心回りに水平旋回可能に保持されているため、着座者の押圧力が背もたれの右又は左に偏って作用すると、着座者の腰部は安定よく保持しつつ、背もたれを的確に捩じれ変形させることができる。従って、背もたれの強度に多少のバラツキがあっても、着座者の身体の動きに追従させて背もたれを的確に捩じれ変形させることができる。その結果、品質の安定性向上に大きく貢献できる。
【００２１】
更に述べると、アッパサポートの回転により、背もたれの上端部全体が水平旋回するため、背もたれは、その下部を除いて平面視で捩じれ変形する。このように背もたれが捩じれ変形することにより、着座者の身体の動きに対する背もたれの変形の追従性が格段に高くなって、高いフッィト性を確保できる。そして、着座者の腰部は、基本的に旋回しないように保持されているため、着座者の安定性は確保されている。このように、身体の安定性を確保しつつ背もたれが容易に捩じれ変形することにより、使用者の快適性を大きく向上できる。
【００２２】
請求項２の構成では、バックフレームの上端にアッパサポートを設けた構造であるため、シンプルな外観を実現してデザイン的にも優れたものとすることができる。また、背支柱の左右両側は背もたれの旋回（回動）領域として広く空いているため、背もたれが大きく捩れ変形することを問題なく許容できる。
【００２３】
また、前記アッパサポートは、軸と軸受け部とから成る軸支手段を介して背支柱の上端部に取付けられているが、軸と軸受け部とから成る軸支手段は、細くてもアッパサポートの円滑な回動を実現できるため、背支柱を過剰に太くすることなく、アッパサポートを円滑に動く状態に保持できる。従って、デザイン性と機能とを同時に達成できる。
【００２４】
請求項３の構成では、まず、背もたれの上端部及び下端部はその左右両端が支持された両端支持の状態になっているため、背もたれが後ろ向きに曲がるように変形することが許容されている。従って、着座者の身体に対する背もたれのフッィト性・クッション性を向上させて、品質（快適性）を一層向上できる。
【００２５】
背もたれの下端は、例えば座やその下方に配置されたベース体（脚装置の上端に固定されたベース体）に連結することも可能であるが、この場合は、背もたれが後傾動するロッキング椅子に適用しにくくなるおそれがある。これに対して請求項３では、背もたれの下端はバックフレームに固定されているため、背もたれは、バックフレームと一緒に後傾できる。従って、背もたれがばね手段に抗して後傾動するロッキング椅子にも問題なく適用できる。
【００２６】
請求項２又は３において、既述のとおり、アッパサポートは、右側部分と左側部分とを独立した構成にして、それぞれ独立して水平旋回させることも可能であるが、この場合は、構造が複雑化すると共に、背もたれと身体との密着性が低下するおそれがある。これに対して、請求項４の構成を採用すると、構造の複雑化を防止できると共に、左側部分と右側部分とは前後逆方向に旋回するため、使用者の背中との密着性が高くなってフィット性とクッション性を向上できる利点がある。
【００２７】
背もたれが軽い力で過度に捩じれ変形すると、身体の安定性が低下して却って使い心地が悪くなるおそれがある。これに対して請求項４の構成を採用すると、アッパサポートの水平旋回角度がストッパー手段（旋回角度規制手段）によって規制されるため、背もたれが過度に捩じれ変形することを防止して、着座者の身体の安定性を保持できる。従って、使い心地を向上させて、品質の安定性を確実化できる。
【００２８】
請求項５の構成では、アッパサポートを水平旋回させるための機構部が背支柱に内蔵されるため、外観をすっきりさせて美観を向上できる。
【００２９】
なお、請求項１において、バックフレームは、必ずしも左右中間部に位置した１本の背支柱を有する構成である必要はない。例えば、特許文献１のような逆Ｖ形のバックフレームを採用して、その上端にアッパサポートを水平旋回可能に取り付けることも可能である。この場合も、バックフレームを、着座者の押圧力で捩じれ変形する強度に設定することができる。
【図面の簡単な説明】
【００３０】
【図１】第１実施形態の椅子を示す図で、（Ａ）は前方斜視図、（Ｂ）は後方斜視図、（Ｃ）は背部のみの後方斜視図である。
【図２】（Ａ）は正面図、（Ｂ）は背面図、（Ｃ）は背部のみの背面図、（Ｄ）は背部のみの側面図である。
【図３】（Ａ）は側面図、（Ｂ）は平面図である。
【図４】（Ａ）は骨組みを示す斜視図、（Ｂ）は後方斜視図、（Ｃ）は分離斜視図である。
【図５】（Ａ）は座部の分離斜視図、（Ｂ）座部の構成部材の分離側面図である。
【図６】（Ａ）は後ろから見た分離斜視図、（Ｂ）（Ｃ）は動きの状態示す平面図である。
【図７】（Ａ）は主要部材の分離正面図、（Ｂ）は座とバックフレームとの関係を示す正面図、（Ｃ）は分離背面図、（Ｄ）はバックフレームの平面図である。
【図８】（Ａ）は後ろから見た分離斜視図、（Ｂ）は背もたれの下端とバックフレームとの連結関係を示す分離斜視図、（Ｃ）は背もたれの下端部とバックフレームとの連結部の縦断側面図、（Ｄ）は背もたれの上端部とバックフレームとの連結部の縦断側面図である。
【図９】（Ａ）はバックフレームと背面カバーとを分離した状態で後方から見た斜視図、（Ｂ）はバックフレームと背面カバーとを分離した状態で前方から見た斜視図、（Ｃ）はアッパサポートの端部を前方から見た斜視図、（Ｄ）はロアサポートの端部を前方から見た斜視図である。
【図１０】（Ａ）は背支柱フレームを前方から見た斜視図、（Ｂ）はバックフレームの縦断側面図、（Ｃ）は（Ｂ）のＣ−Ｃ視断面図である。
【図１１】（Ａ）は背支柱と枢支ユニットとアッパサポートとの分離斜視図、（Ｂ）は背支柱と枢支ユニットとを後方分離斜視図、（Ｃ）と弾性カバーとの上方分離斜視図、（Ｄ）は弾性カバーとの上方分離斜視図である。
【図１２】（Ａ）は枢支ユニットとアッパサポートとの関係を示す正面図、（Ｂ）は弾性カバーを分離した状態での分離正面図、（Ｃ）は弾性カバーのみを分離した状態での正面図、（Ｄ）は構成部材を分離した正面図である。
【図１３】枢支ユニットの構造を示す後方分離斜視図である。
【図１４】枢支ユニットの構造を示す分離斜視図で、（Ａ）は後ろから見たもので、（Ｂ）は前から見たものである。
【図１５】メッシュタイプの椅子を示す図で、（Ａ）は正面図、（Ｂ）は背面図である。
【図１６】メッシュタイプの椅子の前方分離斜視図である。
【図１７】（Ａ）は第３実施形態の模式的な平面図、（Ｂ）は（Ａ）のＢ−Ｂ視正面図、（Ｃ）は第４実施形態の模式的な平面図、（Ｄ）は（Ｃ）のＤ−Ｄ視図、（Ｅ）は第５実施形態の正面図である。
【図１８】（Ａ）は第６実施形態の正面図、（Ｂ）は第７実施形態の側面図、（Ｃ）は（Ｂ）のＣ−Ｃ視断面図、（Ｄ）は第８実施形態の変形例の側面図である。
【発明を実施するための形態】
【００３１】
次に、本願発明の実施形態を図面に基づいて説明する。以下では、方向を特定するため前後・左右の文言を使用するが、これの方向は、普通に着座した人から見た状態として特定している。正面視方向は、着座者と対向した方向である。
【００３２】
(1).第１実施形態の概要
まず、第１実施形態の概要を説明する。本実施形態の椅子は、オフィス等で多用されている回転椅子に適用している。図１，２に示すように、椅子は、主要部材として、座１と背もたれ２、背もたれ２が取り付けられたバックフレーム３、及び脚装置４を備えている。また、背もたれ２の後ろにはランバーサポート装置５が配置されている。また、椅子は、オプション品として、肘掛け装置６とヘッドレスト（或いはショルダーレスト）７を備えている。
【００３３】
例えば図１のとおり、脚装置４は、キャスタを備えた枝足の群を有している。また、図５に示すように、中央部に配置した脚支柱（ガスシリンダ）８にベース体９を固定し、ベース体９に、バックフレーム３がジョイント部材１０を介して後傾動自在に連結されている。正確に述べると、図４（Ａ）（Ｃ）に示すように、バックフレーム３の下端には前向き部３ａが一体に形成されており、前向き部３ａがジョイント部材１０に固定されて、ジョイント部材１０が、図５（Ｂ）のとおり、ベース体９に後傾動自在に連結されている。いずれにしても、本実施形態の椅子は、背もたれ２が弾性手段に抗して後傾動するロッキングタイプである。
【００３４】
図５に大まかに示すように、ベース体９には、中間金具１１を介して座アウターシェル１２が後退動可能に取付けられており、座アウターシェル１２の後部とジョイント部材１０とが、相対回動可能に連結されている。従って、背もたれ２の後傾動に連動して座１が後退する。座１は、座アウターシェル１２に取付けられている。なお、座アウターシェル１２には、座１の前後長さを調節するためのスライド部１２ａ（図５（Ａ）参照）が取付けられている。
【００３５】
本願の背もたれ２は、図１（Ｃ）から理解できるように、合成樹脂製の背板（背インナーシェル）２ａの表裏にクッション材１３を張って、表裏の全体を袋状の表皮材で覆った構造になっている。図１（Ａ）（Ｂ）、図２（Ａ）（Ｂ）などの多くの図では、クッション材１３は省略して背板２ａのみを表示している。
【００３６】
背板２ａは、着座者がもたれ掛かることによる押圧力によって容易に撓み変形する強度になっている。そして、特に着座者の腰部の後ろの部位に、変形を容易化するために多数の横長スリットを形成している。従って、背もたれ２は、ランバーサポート装置５によって容易に変形する。また、背板２ａは、後ろ向きに凹むようにも変形し得る。
【００３７】
(2).バックフレーム
例えば図６に示すように、バックフレーム３は、左右中間部に位置した上下長手の背支柱１５と、その上端に水平旋回可能に取付けた左右長手のアッパサポート１６と、背支柱１５の下端に一体に設けた左右のロアサポート１７とを有している。当然ながら、アッパサポート１６の左右両端とロアサポート１７の先端とは自由端になっている。背支柱１５及びアッパサポート１６は、合成樹脂製である（アルミダイキャスト品や板金加工品も採用できる。）。
【００３８】
例えば図６のとおり、アッパサポート１６は、背支柱１５の軸心から左に向いた部分と右に向いた部分とを有していて両者は一体に繋がっており、左右両端は自由端になっている。そして、アッパサポート１６は、手前に向けて凹むように（後ろに向けて膨らむように）、平面視で弓なりに反った形態になっており、その左右両端部に、背もたれ２の左右両端部が連結されている。従って、アッパサポート１６と背もたれ２との間には大きな空間が空いている。この空間の存在により、背もたれ２の上端部は、着座者の押圧力（体圧）によって後ろ向きに伸び変形する（凹み変形する）ことが許容されている。
【００３９】
他方、例えば図７に明示するように、ロアサポート１７は、背面視において上面と下面とが先端に向けて高くなるように湾曲しており、かつ、左右ロアサポート１７の下面と背支柱１５の下面とで形成される下面（すなわち，バックフレーム３の下面）も、下向きに膨れた湾曲面になっている。従って、バックフレーム３は、全体として錨に似た形態になっている。或いは、丸みを帯びた矢印に似た形態になっているということもできる。
【００４０】
ロアサポート１７の上部面の曲がり具合は、下面の曲がりの程度がやや大きくなっている。このため、ロアサポート１７は、先端に行くに従って上下幅がやや小さくなっている。また、ロアサポート１７は、例えば図１（Ｂ）（Ｃ）に示すように、平面視では、座の後部を抱くような状態で前向きに延びており、その先端部に肘掛け装置６が取付けられている。
【００４１】
図７（Ｄ）に明示するように、ロアサポート１７は、平面視において先端に向けて幅が小さくなっている。このため、座１の後部を後ろから抱持しつつも、ロアサポート１７の外周面が座１の外周面に収束するかのような外観を呈している。
【００４２】
例えば図７（Ａ）（Ｂ）に明示するように、座１の後部には、正面視及び背面視において、ロアサポート１７の上面の形状と相似形を成すように突部１ａを設けている。このため、ロアサポート１７の先端が上向きに反っていても、座１との一体感が形成されて、デザイン的に違和感のない状態になっている。座１の突部１ａは、着座者の臀部に対するホールド効果も発揮しており、着座者の身体の安定性向上に貢献している。
【００４３】
図７（Ｄ）から理解できるように、背もたれ２の下面は下向きに膨れた曲面になっているが、背もたれ２の下面の曲面は、バックフレーム３の下面き曲面と略同じ形状になっている。従って、デザイン的な統一がとれている。
【００４４】
例えば図７（Ｃ）に示すように、バックフレーム３の背面は、センターカバー１８とサイドカバー１９とで覆われている。すなわち、センターカバー１８は、背支柱１５の全体とロアサポート１７の一部とを覆っており、サイドカバー１９は、ロアサポート１７の前半部の背面を覆っている。これらのカバー１８，１９は、バックフレーム３に手前から挿通したビスによって、バックフレーム３に固定されている。図９に、バックフレーム３に設けたビス挿通穴２０と、カバー１８に設けたタップ穴２１とを表示している。
【００４５】
(3).バックフレームと背もたれとの連結構造
図８（Ａ）に示すように、背もたれ２を構成する背板２ａの左右両端には下向き鉤状の係止爪２２が形成されている一方、バックフレーム３におけるアッパサポート１６の左右両端には、係止爪２２が上から嵌まり込む係合枠部２３が形成されている。
【００４６】
また、図８（Ｂ）に示すように、背もたれ２の下端の左右両端部に、四角錐の頭部分を切断した態様（四周各面が四角形の台錘形）のテーパ状角形突起２４が後ろ向きに突設されている一方、ロアサポート１７の先端部には、テーパ状角形突起２４が入り込むテーパ状角形凹所２５を形成し、ビス２６によって、テーパ状角形突起２４をテーパ状角形凹所２５に引き込んでいる。
【００４７】
ビス２６は、ロアサポート１７に後ろから挿通している一方、背もたれ２のテーパ状角形突起２４に前向きの角形ポケット穴２７が形成されており、ポケット穴２７に回転不能に嵌め入れたナット２８にビス２６がねじ込まれている。
【００４８】
背もたれ２の上端はアッパサポート１６の係合枠部２３に嵌め込まれているため、左右２本のビスで背もたれ２のテーパ状角形凹所２５を引き込むだけで、背もたれ２をバックフレーム３に離脱不能に取り付けることができる。そして、テーパ状角形突起２４は、くさび作用によってテーパ状角形凹所２５にしっかりと入り込むため、背もたれ２は、２本のビス２６によってガタ付きのない状態に固定される。
【００４９】
アッパサポート１６は手前に向けて凹むように反っているため、アッパサポート１６と背もたれ２との間には空間が空いている。ロアサポート１７との背もたれ２との間にも、既述のように空間が空いている。また、背もたれ２の左右側部の後ろは開放されている。従って、背もたれ２は、着座者の押圧力によって後ろ向きに凹むように容易に弾性変形し得る。これにより、高いフィット性を確保することができる。
【００５０】
なお、背もたれ２を構成する背板２ａは、単体の状態で、人が手で簡単に曲げることができる程度の弾性強度になっている。実施形態では、背板２ａの前後両面をクッション材１３で覆っているが、クッション材１３を前面のみに配置することも可能である（但し、実施形態のように後面にも配置すると、背板２ａの地肌やスリットなどが後ろから透けて見えない利点がある。）。また、背板２ａをクロス等の表皮材のみで覆ったり、背板２ａを剥き出しの状態で使用したりすることも可能である。
【００５１】
図８（Ａ）に示すように、ヘッドレスト７の下端に後ろ向きの取付け片７ａを設けている一方、アッパサポート１６には、ヘッドレスト７の取付け片７ａが嵌まる取付け穴７ｂを形成しており、取付け片７ａが、図示しないビスでアッパサポート１６に固定されている。取付け片７ａは、ヘッドレスト７に内蔵した金具に形成している。
【００５２】
(4).アッパサポートの旋回構造
次に、主として図１０〜１４に基づいて、アッパサポート１６の水平旋回機構を説明する。
【００５３】
アッパサポート１６は、軸支手段の一例としての枢支ユニット３０を介して、背支柱１５に水平旋回可能に取付けられている。枢支ユニット３０は、例えば図１４に示すように、アッパサポート１６の左右中間部に固定された下向きロッド３１と、下向きロッド３１を回転自在に保持する上部軸受けブロック３２と、上部軸受けブロック３２の下方に配置した下部軸受けブロック３３とを備えている。「ブロック」は部材と言い換えてもよい。
【００５４】
下向きロッド３１の上端部はアッパサポート１６に嵌め込まれて固定されているが、下向きロッド３１の上端に、軸心を挟んだ両側に突出した一対の回り止めリブ３４を設けている一方、アッパサポート１６の左右中間部には、下向きロッド３１の上端部が回転不能に嵌まった取付け穴３５を形成している。そして、上部ビス３６により、下向きロッド３１をアッパサポート１６に固定している。ビスは、アッパサポート１６の一部を貫通して回り止めリブ３４にねじ込まれている。従って、回り止めリブ３４にはタップ穴が空いている。
【００５５】
図１４に示すように、下向きロッド３１のうち上部軸受けブロック３２に嵌まっている部分には、その前面部を除いて周方向に広がる平面視Ｃ形のストッパー突起３８が形成されている一方、上部軸受けブロック３２には、下向きロッド３１のストッパー突起３８が上下動不能に嵌まる凹溝３９を形成している。更に、図１０（Ｃ）に示すように、背支柱１５には、ストッパー突起３８の前端間において下向きロッド３１の露出部に密着する軸受け部４０が形成されている。
【００５６】
そして、軸受け部４０の左右側面と上部軸受けブロック３２の左右前面との間に、若干の空間４１を空けている。左右の空間４１の前後幅は同一寸法になっている。ストッパー突起３８と凹溝３９と軸受け部４０とは、請求項に記載したストッパー手段の一例であり、ストッパー突起３８の縦長端面が軸受け部４０の端面に当たることにより、アッパサポート１６と背支柱１５との相対的な最大水平旋回角度が規制される。ストッパー手段は他の構造であってもよい。
【００５７】
下向きロッド３１のうちストッパー突起３８よりも少し下方の部分は小径部３１ａになっており、小径部３１ａは、下部軸受けブロック３３に嵌入している。そして、小径部３１ａを形成したことによって下向きロッド３１にできた段差面に、周方向に凹凸が連続する上部カム面４３を形成している一方、小径部３１ａにカム筒４４を嵌め入れて、カム筒４４の上面に、上部カム面４３と噛み合う下部カム面４５を形成している。
【００５８】
更に、下部軸受けブロック３３には、可動カム筒４４が上下動可能に嵌まる円形穴４６を形成している。円形穴４６の内径は、下向きロッド３１の外径と略同径になっている。そして、図１３や図１４に示すように、円形穴４６に、弾性手段（弾性部材）の一例として、可動カム筒４４を上向きに付勢するコイルばね４７が嵌め入れられている。ばね４７に代えて、ゴムなどの他の弾性体も使用可能である。図１０（Ｂ）のとおり、下部軸受けブロック３３は、ビス３３ａによって下向きロッド３１に固定されている。
【００５９】
図１３，１４に示すように、カム筒４４の左右側面には回り止めリブ４９が突設されている一方、下部軸受けブロック３３には、回り止めリブ４９が上から嵌まる回り止め溝５０を形成している。従って、カム筒４４は、下部軸受けブロック３３に対して、上下動可能で回転不能に保持されている。
【００６０】
例えば図１３から理解できるように、下部軸受けブロック３３は、当該下部軸受けブロック３３に下方から挿通された２本の縦長ビス５３により、上部軸受けブロック３２に固定されている。そこで、図１３に示すように、上部軸受けブロック３２の後面に第１ポケット部５５を形成して、第１ポケット部５５に、縦長ビス５３がねじ込まれるナット５４を回転不能に嵌め入れている。
【００６１】
例えば図１３に示すように、上部軸受けブロック３２と下部軸受けブロック３３とは、背支柱１５に形成された凹所５１に内蔵されており、上部軸受けブロック３２と下部軸受けブロック３３とは、背支柱１５に手前から挿通された前後長手の水平ビス５８（図１４参照）により、背支柱１５に固定されている。そこで、上部軸受けブロック３２と下部軸受けブロック３３との背面に第２ポケット部６０を形成して、第２ポケット部６０に、水平ビス５８がねじ込まれるナット５９を回転不能に保持している。
【００６２】
下向きロッド３１の上部カム面４３、上カム面４５を有するカム筒４４、コイルばね４７は、アッパサポート１６を基準姿勢に戻す復帰手段を構成している。すなわち、アッパサポート１６が旋回しようとすると、その旋回に対して、旋回当初から上下カム面４３，４５の噛み合いによって抵抗（プリテンション）が付与され、アッパサポート１６に対する外力がある程度以上に大きくなると、カム筒４４をばね４７に抗して下降動する。これにより、アッパサポート１６が水平旋回する。また、アッパサポート１６に対する着座者の押圧力が解除されると、カム筒４４は上向きに移動して、上下のカム４３，４４が密着する。これにより、アッパサポート１６は基準姿勢に復帰する。
【００６３】
実施形態のように、復帰手段（弾性抵抗付与手段）の一部として端面カムを利用すると、部材が上下に並ぶため、コンパクト化されて全体を背支柱１５に内蔵できる利点がある。また、アッパサポート１６に作用した外力がカム面４３，４５を介してばね４７に作用するが、カム面４３，４５の摩擦抵抗により、アッパサポート１６の水平旋回に対する抵抗を増幅できる。従って、小さいばね４７でありながら、アッパサポート１６の水平旋回に対して的確な抵抗を付与できる。
【００６４】
なお、下向きロッド３１の水平回転角度はストッパー突起３８で規制されているが、カム筒４４は回転しないように設定されている。上下のカム面４３，４５を周方向に連続して形成しているのは、下向きロッド３１に回転偶力を与えて回転をスムース化させるためである。なお、図６（Ａ）（Ｂ）に表示している平行斜線は背もたれ２の外形を明示するための措置であり、断面の表示ではない。
【００６５】
背もたれ２の左右側部に着座者の押圧力が作用すると、図６（Ａ）（Ｂ）に示すように、アッパサポート１６が水平旋回し、それに追従して背もたれ２が平面視で捩じれ変形する。そして、アッパサポート１６の回動はばね４７に抗して行うものであるため、個々の椅子の間でのアッパサポート１６の回動に対する抵抗を均一化して（バラツキを無くして）、品質を向上できる。
【００６６】
さて、アッパサポート１６はばね４７の弾性に抗して水平旋回する。そして、アッパサポート１６が水平旋回すると、背支柱１５には自身を軸心回りに捩じるような外力（回転モーメント）が作用するが、バリエーションとして、例えば、背支柱１５は、アッパサポート１６が回動しきってから、着座者の押圧力によって更に捩じれ変形し得る強度に設定することができる。
【００６７】
この場合は、背もたれ２は、ばね４７に抗した捩れ変形と、背支柱１５の弾性に抗した捩れ変形との２段階の捩れ変形するため、使用者の体格の違いや動きの大小に対する適応性に優れている。このような２段階の捩じれ変形により、背もたれ２は、作用した押圧力の程度に応じて、着座者の身体の動きに的確に追従して変形することができる。その結果、使用者の満足度を高くすることができる。
【００６８】
この場合は、背支柱１５の弾性強度が、ばね４７の弾性強度よりも大きく設定されている。背支柱１５を後ろ向き（又は前向き）に開口きに開口した溝状の構造に形成すると、背支柱１５の捩れ変形を容易化できると云える。
【００６９】
また、背もたれ２の下端部は左右のロアサポート１７に固定されているため、背もたれ２の下端部は、水平姿勢が変化しないように保持されている。従って、着座者の腰部や臀部が旋回することはなくて、身体の安定性は確保されている。逆に見ると、着座者は、身体の安定性が確保されているため、上半身を安心して動かすことができる。
【００７０】
(5).下向きロッドのカバー構造
例えば図１（Ｂ）や図２（Ｂ）に示すように、背支柱１５の上端とアッパサポート１６の下端との間にはある程度の間隔が空いている。従って、下向きロッド３１は一部が、背支柱１５及びアッパサポート１６の外側に露出している。そこで、図１（Ｃ）や図２（Ｃ）に示すように、下向きロッド３１の露出部を、エラストマのような弾性樹脂から成る弾性カバー６１で覆っている。弾性カバー６１は、蛇腹状の構造になっている。
【００７１】
例えば図１４（Ａ）に示すように、背支柱１５は後ろ向きに開口した樋状の形態を成しており、センターカバー１８を装着した状態では、全体として、平面視形状は手前が幅狭の台形になっている。そこで、図１４のとおり、弾性カバー６１も台形の筒状に形成して、弾性カバー６１の外周面と背支柱１５及びセンターカバー１８の外周面とを略同一面に形成している。このため、美観に優れている。
【００７２】
図１１（Ｃ）（Ｄ）に示すように、弾性カバー６１の上端面と下端面には、それぞれ段部６２，６３が形成されており、段部６２，６３に規制板６４，６５が相対回転不能に嵌まっている。また、上規制板６４には、下向きロッド３１の回り止めリブ３４に嵌まる内向き切欠き溝６６が形成されている。従って、弾性カバー６１の上端は、アッパサポート１６の下端に相対回転不能に保持されている。
【００７３】
他方、例えば図１３や図１４（Ａ）に示すように、上部軸受けブロック３２の上面にはスペーサ板６７が相対回転不能に重ね配置されており、スペーサ板６７の上面に左右の係止突起６８を形成している一方、下規制板６５に、スペーサ板６７の係止突起６８に嵌合する内向き切欠き溝６９を形成している。従って、弾性カバー６１の下端は、上部軸受けブロック３２（及び背支柱１５）に対して相対回転不能に保持されている。
【００７４】
図１３に示すように、上部軸受けブロック３２の上面には左右の突起７０を形成している一方、スペーサ板６７には、突起７０と嵌合する下向き穴（図示せず）が形成されている。スペーサ板６７を使用せずに、下規制板６５を上部軸受けブロック３２に対して相対回転不能に係止してもよい。
【００７５】
以上のように、弾性カバー６１は、上端はアッパサポート１６に固定されて、下端は  上部軸受けブロック３２に固定されているため、アッパサポート１６が水平旋回すると、弾性に抗して捩じれ変形する。従って、アッパサポート１６の水平旋回を許容しつつ、アッパサポート１６と背支柱１５との間の境界部を覆うことができる。その結果、安全性を確保できると共に、美観も向上できる。
【００７６】
(6).アッパサポートの連結構造のバリエーション
本実施形態では、アッパサポート１６を背支柱１５の上端部に旋回可能に取付けたが、背支柱１５を、ばね手段（弾性抵抗付与手段）に抗して相対回転する上下２本の部材で構成して、上部の部材にアッパサポート１６を固定することも可能である。背支柱１５の捩じれ変形を許容する手段としては、金属製のトーションバーを使用することも可能である。
【００７７】
背支柱１５を上下に並んだ３本以上の部材で構成して、上下に隣り合った部材をばね手段に抗して相対回転するように連結することも可能である。この場合は、相対回転部が複数存在するが、上に位置した相対回転部の弾性抵抗を下に位置した相対回転部の弾性抵抗よりも小さくすると、図示した実施形態と同様に、背もたれ２の捩じれを確実化しつつ、過度に捩じれ変形することを防止できる。
【００７８】
アッパサポート１６を水平旋回させる軸支手段は、実施形態のようなロッドと軸受け部との組み合わせには限らない。例えば、筒体同士の嵌め合わせも採用できる。アッパサポート１６に軸受け部を設けて、背支柱１５にロッドのようなボス部を設けることも可能である。下向きロッドや軸受け部のような軸支手段は、アッパサポート１６や背支柱１５に一体に形成することも可能である。
【００７９】
但し、実施形態のように、アッパサポート１６及び背支柱１５とは別体のロッドと軸受けブロックとからなる枢支ユニットを採用すると、寸法精度を高くして品質を向上できると共に、材質を任意に選択できるため耐久性も向上できる利点がある。いずれにしても、軸受けブロックは１つのみで構成することも可能である。
【００８０】
金属製の下向きロッド３１をアッパサポート１６に固定する一方、背支柱１５に、下向きロッド３１が上から嵌まる軸受け穴を一体に形成することも可能である。この場合は、耐久性の点からは、軸受け穴に金属製又は樹脂製のブッシュを装着して、ブッシュを介して下向きロッド３１を軸支するのが好ましい。
【００８１】
本実施形態では、アッパサポート１６は弾性カバー６１の弾性力に抗して旋回する。従って、弾性カバー６１は、ばね手段の弾性部材としても機能している。このため、ばね４７を小型化しつつ、アッパサポート１６か基準姿勢に復帰することを確実化できる。ばね４７を使用せずに、弾性カバー６１のみで基準姿勢に復帰させることも可能である。
【００８２】
(7).第２実施形態
図１５，１６では、メッシュタイプに適用した第２実施形態を示している。すなわち、背もたれ２は、前後に開口した背フレーム８０にメッシュ材８１を張った構造になっており、第１実施形態と同様に、ランバーサポート装置５と肘掛け装置６とヘッドレスト７とを備えている。
【００８３】
背フレーム８０は合成樹脂製であり、上下に長い左右のサイドメンバー８２と、サイドメンバー８２の上端に一体に繋がった水平状のアッパメンバー８３と、サイドメンバー８２の下端に一端に繋がった水平状のロアメンバー８４とで構成されており、例えば、椅子に組み付けていない単体の状態で、人が容易に捩じり変形させ得る弾性強度になっている。
【００８４】
メッシュ材８１は、図１６に明示するテープ材８５，８６を介して背フレーム８０に取付けている。具体的には、上下長手の左右のテープ材８５には、外向きに突出したボス８７が多段に形成されており、このボス８７が、サイドメンバー８２の内周板に形成した係合溝８８に嵌め込まれている。メッシュ材８１の縁部はテープ材８５の内面に重なっており、サイドメンバー８２は、メッシュ材８１の左右端部に重なって後ろからぐるりと巻かれている。
【００８５】
他方、図１６に明示するように、上下に配置された左右長手のテープ材８６には、上下方向の外向きに突出した係止片８９が左右方向に並べて形成されている一方、アッパメンバー８３とロアメンバー８４との対向面には、係止片８９が嵌合する係合穴９９が形成されている。そして、メッシュ材８１の上下端部は、上下のテープ材８６の内面に固定されており、メッシュ材８１の上下端部により、アッパメンバー８３及びロアメンバー８４が外側からぐるりと巻かれている。
【００８６】
このように、背フレーム８０の全周はメッシュ材８１でぐるりと包まれているため、背フレーム８１の素材が露出することを極力抑制して、美観を向上できる。また、テープ材８５，８６の取付けも容易である。
【００８７】
メッシュ仕様の背もたれ２では、背フレーム９６の内周が透けて見える。そして、図１５から理解できるように、ロアメンバー８４の上面（内面）の背面視形状（正面視形状も同じ）を、バックフレーム３における左右ロアサポート１７の上面で形成される曲面とほぼ同じ形状の曲面と成している。このため、ロアメンバー８４とロアサポート１７とのデザイン的な統一性がとれて、すっきりとした外観を呈している。
【００８８】
また、図１５から理解できるように、ロアメンバー８４の上面の形状は、座における左右の突部１ａで形成される凹面ともほぼ一致している。従って、座１の後部の形状と、背フレーム８０におけるロアメンバー８４の形状と、バックフレーム３における左右ロアサポート１７の形状とが、統一性をもって形成されている。
【００８９】
図示は省略するが、背フレーム８０とバックフレーム３との連結構造は第１実施形態と同じである。
【００９０】
(8).他の実施形態
次に、図１７，１８に示す他の実施形態を説明する。図１７のうち（Ａ）（Ｂ）に示す第３実施形態は、アッパサポート１６を、左側部分１６ａと右側部分１６ｂとの２つのパーツに分離して、両者が背支柱１５の軸心回りに旋回するように構成している。従って、両部分１６ａ，１６ｂの基部は重なりあっっている。
【００９１】
例えば、下向きロッド３１を、同心に嵌まりあったインナーロッド３１ｂと筒状のアウターロッド３１ｃとで構成して、両ロッド３１ｂ，３１ｃのうち一方を左側部分１６ａに固定して他方を右側部分１６ｂに固定している。復帰手段やストッパー手段は、両ロッド３１ｂ，３１ｃに対応して別々に設けてもよいし、１種類の復帰手段やストッパー手段を両ロッド３１ｂ，３１ｃで共用してもよい。相対的に動きをする部分は、弾性カバー６１で覆うのが好ましい。
【００９２】
図１７のうち（Ｃ）（Ｄ）に示す第４実施形態では、アッパサポート１６を、左側部分１６ａと右側部分１６ｂとの２つのパーツに分離した場合において、両者に別々の下向きロッド３１を設けて、背支柱１５で個別に軸支している。この場合は、復帰手段とストッパー手段は別々に設けることになる。
【００９３】
図１７のうち（Ｅ）に示す第５実施形態では、アッパサポート１６は、左側部分と右側部分とが一体になっていると共に、全体として、正面視（及び背面視）で略Ｙ型の形態になっている。平面視の形状は、図１７（Ａ）（Ｃ）と同様である。図１８（Ａ）に示す第６実施形態では、アッパサポート１６を全体として正面視Ｙ形に形成した場合において、アッパサポート１６を左側部分１６ａと右側部分１６ｂとの２つのパーツに分離して、両者を、それぞれ下向ロッド３１によって背支柱１５に取付けている。
【００９４】
図１８（Ｂ）（Ｃ）に示す第７実施形態では、アッパサポート１６に、着座した人の腰部の高さに位置して左右両端部のみに位置した上支持部１７ａと、左右方向に長く延びる下支持部１７ｂとを形成し、上支持部１７ａには背もたれ２の左右端部のみが連結されて、下支持部１７ｂには、背もたれ２の下端部が左右全長に亙って連結されている。また、下支持部１７ｂは上支持部１７ａよりも後ろに位置させている。
【００９５】
この実施形態では、上支持部１７ａが下支持部１７ｂよりも手前に張り出しているため、背もたれ２は、着座した人の腰部のあたりの高さ部位が最も手前に位置するように、側面視及び縦断側面視において、前向き凸状に曲がっている。従って、背もたれ２に、着座した人の腰部に当たるランバーサポート部が形成されている。
【００９６】
図１８のうち（Ｂ）では、下支持部１７ｂの左右端部と上支持部１７ａとが一連に繋がっている。従って、背もたれ２の取付け強度は高くなっている。
【００９７】
以上、本願発明の実施形態を説明したが、本願の各発明は、他にも様々に具体化できる。例えば、本願発明は、背もたれが後傾しないタイプの椅子にも適用できる。また、バックフレームが背支柱を有する場合、背支柱は基本的には捩れ変形しない構造・強度に設定することができる。
【産業上の利用可能性】
【００９８】
本願各発明は、椅子又は肘掛け装置に具体化できる。従って、産業上利用できる。
【符号の説明】
【００９９】
１  座
２  背もたれ
３  バックフレーム
１５  背支柱
１６  アッパサポート
１７  ロアサポート
３８  ストッパー手段を構成するストッパー突起
４０  軸受け部
３０  軸支手段としての枢支ユニット
３１  軸支手段を構成する下向きロッド
３２  軸支手段を構成する上部軸受けブロック
３３  軸支手段を構成する下部軸受けブロック
４３，４５  復帰手段を構成するカム面
４４  復帰手段を構成する可動カム筒
４７  ばね
６１  弾性カバー
【図１】
2020058759.tif 000003
【図２】
2020058759.tif 000004
【図３】
2020058759.tif 000005
【図４】
2020058759.tif 000006
【図５】
2020058759.tif 000007
【図６】
2020058759.tif 000008
【図７】
2020058759.tif 000009
【図８】
2020058759.tif 000010
【図９】
2020058759.tif 000011
【図１０】
2020058759.tif 000012
【図１１】
2020058759.tif 000013
【図１２】
2020058759.tif 000014
【図１３】
2020058759.tif 000015
【図１４】
2020058759.tif 000016
【図１５】
2020058759.tif 000017
【図１６】
2020058759.tif 000018
【図１７】
2020058759.tif 000019
【図１８】
2020058759.tif 000020